【手続補正書】
【提出日】平成30年10月29日(2018.10.29)
【手続補正１】
【補正対象書類名】特許請求の範囲
【補正対象項目名】全文
【補正方法】変更
【補正の内容】
【特許請求の範囲】
【請求項１】
減衰材、好ましくは消音材として適当なホットメルト組成物であって、
ｉ）少なくとも１種のポリ−α−オレフィン；
ｉｉ）少なくとも１種のエラストマー性スチレン系コポリマー；
ｉｉｉ）少なくとも１種の粘着付与剤；
ｉｖ）少なくとも１種の大環状分子；及び任意に
ｖ）少なくとも１種の添加剤、好ましくはフィラー；安定剤；着色剤；顔料；ワックス；エチレンビニルアセテート（ＥＶＡ）、エチレンアクリル酸（ＥＡＡ）、アルキルアクリレート、アルキルメタクリレート（ＥＭＡ）、エチレン２−エチルヘキシルアクリレート（ＥＥＨＡ）ポリマー若しくはそれらの組み合わせから選択される１９０℃／２．１６ｋｇでメルトインデックス６００〜５０００を有する熱可塑性化合物；水分捕捉剤；又はそれらの組み合わせ
を含み、好ましくはから実質的になり、より好ましくはからなる、組成物。
【請求項２】
ｉ）はメタロセン触媒により得られた少なくとも１種のプロピレン系ポリ−α−オレフィンであり；
好ましくは該少なくとも１種のプロピレン系ポリ−α−オレフィンは、１００ｇ／１０分未満、より好ましくは５０ｇ／１０分未満，最も好ましくは２５ｇ／１０分未満のＡＳＴＭ  Ｄ１２３８に準拠して２３０℃／２．１６ｋｇで測定される溶融フロー速度（ＭＦＲ）を有し；及び／又は
好ましくは該プロピレン系ポリ−α−オレフィンにおけるプロピレン含有量は、５０重量％より大きく、より好ましくは６０重量％より大きく、最も好ましくは７０重量％より大きい、請求項１に記載のホットメルト組成物。
【請求項３】
前記少なくとも１種のポリ−α−オレフィンは、少なくとも１，０００ｇ／モル、好ましくは５，０００ｇ／モル、より好ましくは１０，０００ｇ／モルの重量平均分子量を有し；及び／又は
好ましくはその上限は、多くて１００，０００ｇ／モル、より好ましくは８０，０００ｇ／モル、最も好ましくは６０，０００ｇ／モルである、請求項１又は２に記載のホットメルト組成物。
【請求項４】
ｉ）は、プロピレンと、少なくとも１種のＣ２〜Ｃ８アルケンから選択される少なくとも１種のコモノマーとのコポリマーから選択され、好ましくはｉ）はプロピレンエチレンコポリマーである、請求項１〜３のいずれかに記載のホットメルト組成物。
【請求項５】
ｉｉ）前記少なくとも１種のエラストマー性スチレン系コポリマーは、スチレン−イソプレン−スチレンブロックコポリマー；スチレン−イソプレン−スチレン／スチレン−イソプレンブロックコポリマー；スチレン−ブタジエン−スチレンブロックコポリマー；スチレン−ブタジエン−スチレン／スチレン−ブタジエンブロックコポリマー；スチレン−ブタジエンブロックコポリマー；スチレン−エチレン−ブチレン−スチレンブロックコポリマー；スチレン−エチレン−ブチレン−スチレン／スチレン−エチレン−ブチレンブロックコポリマー；及びスチレン−エチレン−プロピレン−スチレン／スチレン−エチレン−プロピレンブロックコポリマー；並びにそれらの組み合わせからなる群から選択され、
好ましくはｉｉ）はスチレン−イソプレンコポリマー；スチレン−イソプレン−スチレンブロックコポリマー又はそれらの組み合わせから選択される、請求項１〜４のいずれかに記載のホットメルト組成物。
【請求項６】
前記エラストマー性スチレン系コポリマーは、少なくとも１，０００ｇ／モル、好ましくは５，０００ｇ／モル、より好ましくは１０，０００ｇ／モルの重量平均分子量を有し；及び／又は
好ましくはその上限は、多くて１００，０００ｇ／モル、より好ましくは８０，０００ｇ／モル、最も好ましくは６０，０００ｇ／モルである、請求項５に記載のホットメルト組成物。
【請求項７】
ｉｉｉ）前記少なくとも１種の粘着付与剤は、
（ａ）ガムロジン、木材ロジン、トール油ロジン、蒸留ロジン、水素化ロジン、二量体化ロジン、重合ロジンのような天然及び変性ロジン；
（ｂ）淡色のグリセロールエステル；木材ロジン；水素化ロジンのグリセロールエステル；重合ロジンのグリセロールエステル；水素化ロジンのペンタエリトリトールエステル；及びロジンのフェノール変性ペンタエリトリトールエステルのような天然及び変性ロジンのグリセロール及びペンタエリトリトールエステル；
（ｃ）スチレン／テルペン及びアルファメチルスチレン／テルペンのような天然テルペンのコポリマー及びターポリマー；
（ｄ）ピネンとして知られている二環式モノテルペンのようなテルペン炭化水素のフリーデル−クラフツ触媒の存在下で適度に低い温度での重合により生じるポリテルペン樹脂、並びに水素化ポリテルペン樹脂；
（ｅ）フェノール変性テルペン樹脂及びその水素化誘導体；
（ｆ）主としてオレフィン及びジオレフィンからなるモノマーの重合により生じる脂肪族石油系炭化水素樹脂、並びに水素化脂肪族石油系炭化水素樹脂；
（ｇ）環式石油系炭化水素樹脂及びその水素化誘導体；
（ｈ）アルキルフェノール樹脂並びに；それらの組み合わせから選択され、
好ましくはｉｉｉ）は、熱可塑性アルキルフェノール樹脂から選択され；及び／又は
前記少なくとも１種の粘着付与剤は、数平均分子量５０〜２０００ｇ／モルを有し、より好ましくは前記少なくとも１種の粘着付与剤は、（ｈ）アルキルフェノール樹脂から選択され、最も好ましくは前記少なくとも１種の粘着付与剤は、（ｈ）軟化点１２０〜１４０℃を有するアルキルフェノール樹脂から選択される、請求項１〜６のいずれかに記載のホットメルト組成物。
【請求項８】
ｉｖ）前記少なくとも１種の大環状分子は、シクロデキストリン、カリックスアレーン及びククルビツリル又はそれらの組み合わせから選択され、
好ましくはｉｖ）はシクロデキストリンであり、
より好ましくはｉｖ）はβ−シクロデキストリンである、請求項１〜７のいずれかに記載のホットメルト組成物。
【請求項９】
ｉ）は、前記組成物の総重量を基準として１０〜４０重量％、好ましくは１５〜３５重量％、最も好ましくは１８〜２５重量％の量で存在する、請求項１〜８のいずれかに記載のホットメルト組成物。
【請求項１０】
ｉｉ）は、前記組成物の総重量を基準として１〜２５重量％、好ましくは５〜２０重量％、最も好ましくは７〜１５重量％の量で存在する、請求項１〜９のいずれかに記載のホットメルト組成物。
【請求項１１】
ｉｉｉ）は、前記組成物の総重量を基準として１〜２５重量％、好ましくは５〜２０重量％、最も好ましくは７〜１５重量％の量で存在する、請求項１〜１０のいずれかに記載のホットメルト組成物。
【請求項１２】
ｉｖ）は、前記組成物の総重量を基準として０．１〜１０重量％、好ましくは０．５〜７重量％、最も好ましくは１．５〜５重量％の量で存在する、請求項１〜１１のいずれかに記載のホットメルト組成物。
【請求項１３】
ｖ）は、前記組成物の総重量を基準として１０〜７０重量％、好ましくは２０〜６５重量％、最も好ましくは３５〜６０重量％の量で存在し、及び／又は
ｖ）前記少なくとも１種の添加剤は、フィラー、ワックス、エチレンビニルアセテート（ＥＶＡ）、エチレンアクリル酸（ＥＡＡ）、アルキルアクリレート、アルキルメタクリレート（ＥＭＡ）、エチレン２−エチルヘキシルアクリレート（ＥＥＨＡ）ポリマー若しくはそれらの組み合わせから選択される１９０℃／２．１６ｋｇでメルトインデックス６００〜５０００を有する熱可塑性化合物、又はそれらの組み合わせから選択される、請求項１〜１２のいずかに記載のホットメルト組成物。
【請求項１４】
請求項１〜１３のいずれかに記載のホットメルト組成物を含み、好ましくはから実質的になり、より好ましくはからなる、減衰、好ましくは消音製品。
【請求項１５】
減衰、好ましくは消音、より好ましくは自動車産業での減衰又は消音の、マット、パッド、シート及びテープにおける、請求項１〜１３のいずれかに記載のホットメルト組成物の使用。
【手続補正２】
【補正対象書類名】明細書
【補正対象項目名】０００１
【補正方法】変更
【補正の内容】
【０００１】
本発明は、減衰、好ましくは消音組成物として適当な特定のホットメルト組成物に関する。更に、本発明は、減衰、好ましくは消音、より好ましくは減衰、好ましくは消音の、マット、パッド、シート及びテープ、最も好ましくは自動車産業、特に自動車車体についての減衰、好ましくは消音の、マット、パッド、シート及びテープにおける、本発明のホットメルト組成物の使用に関する。本発明のホットメルト組成物は、低揮発性有機化合物（ＶＯＣ）及びフォギングの放出を示す。
【手続補正３】
【補正対象書類名】明細書
【補正対象項目名】０００９
【補正方法】変更
【補正の内容】
【０００９】
特に、本発明は、
［１］減衰、好ましくは消音材として適当であり、
ｉ）少なくとも１種のポリ−α−オレフィン；
ｉｉ）少なくとも１種のエラストマー性スチレン系コポリマー；
ｉｉｉ）少なくとも１種の粘着付与剤；
ｉｖ）少なくとも１種の大環状分子；及び任意に
ｖ）好ましくはフィラー；安定剤；着色剤；顔料；ワックス；エチレンビニルアセテート（ＥＶＡ）、エチレンアクリル酸（ＥＡＡ）、アルキルアクリレート、アルキルメタクリレート（ＥＭＡ）、エチレン２−エチルヘキシルアクリレート（ＥＥＨＡ）ポリマー若しくはそれらの組み合わせから選択される１９０℃／２．１６ｋｇでメルトインデックス（ＡＳＴＭ  Ｄ１２３８）６００〜５０００を有する熱可塑性化合物；水分捕捉剤；又はそれらの組み合わせから選択される、少なくとも１種の添加剤
を含み、好ましくはから実質的になり、より好ましくはからなる、ホットメルト組成物。
［２］ｉ）は、メタロセン触媒により得られた少なくとも１種のプロピレン系ポリ−α−オレフィン；
好ましくは該少なくとも１種のプロピレン系ポリ−α−オレフィンは、１００ｇ／１０分未満、より好ましくは５０ｇ／１０分未満、最も好ましくは２５ｇ／１０分未満のＡＳＴＭ  Ｄ１２３８に準拠して２３０℃／２．１６ｋｇで測定される溶融フロー速度（ＭＦＲ）を有し；及び／又は
好ましくはプロピレン系ポリ−α−オレフィンにおけるプロピレン含有量は５０重量％より大きく、より好ましくは６０重量％より大きく、最も好ましくは７０重量％より大きい、［１］に記載のホットメルト組成物。
［３］前記少なくとも１種のポリ−α−オレフィンは、少なくとも１，０００ｇ／モル、好ましくは５，０００ｇ／モル、より好ましくは１０，０００ｇ／モルの重量平均分子量を有し；及び／又は
好ましくはその上限は、多くて１００，０００ｇ／モル、より好ましくは８０，０００ｇ／モル、最も好ましくは６０，０００ｇ／モルである、［１］又は［２］に記載のホットメルト組成物。
［４］ｉ）は、プロピレンと、少なくとも１種のＣ２〜Ｃ８アルケンから選択されるコモノマーとのコポリマーから選択され、好ましくはｉ）は、プロピレンオクチレンコポリマー、プロピレンエチレンコポリマー又はそれらの混合物であり、より好ましくはプロピレンエチレンコポリマーである、［１］〜［３］のいずれかに記載のホットメルト組成物。
［５］ii)前記少なくとも１種のエラストマー性スチレン系コポリマーは、スチレン−イソプレン−スチレンブロックコポリマー;スチレン-イソプレン-スチレン/スチレン-イソプレンブロックコポリマー;スチレン-ブタジエン-スチレンブロックコポリマー;スチレン-ブタジエン-スチレン/スチレン-ブタジエンブロックコポリマー;スチレン-ブタジエンブロックコポリマー;スチレン-エチレン-ブチレン-スチレンブロックコポリマー;スチレン-エチレン-ブチレン-スチレン/スチレン-エチレン-ブチレンブロックコポリマー;及びスチレン-エチレン-プロピレン-スチレン/スチレン-エチレン-プロピレンブロックコポリマー;並びにそれらの組み合わせからなる群から選択され、
より好ましくはii)はスチレン-イソプレンコポリマー;スチレン−イソプレン−スチレンブロックコポリマー又はそれらの組み合わせから選択される、［１］〜［４］のいずれかに記載のホットメルト組成物。
［６］前記エラストマー性スチレン系コポリマーは、少なくとも１，０００ｇ／モル、好ましくは５，０００ｇ／モル、より好ましくは１０，０００ｇ／モルの重量平均分子量を有し；及び／又は
好ましくはその上限は、多くて１００，０００ｇ／モル、より好ましくは８０，０００ｇ／モル、最も好ましくは６０，０００ｇ／モルである、［５］に記載のホットメルト組成物。
［７］iii)前記少なくとも１種の粘着付与剤は、
（ａ）ガムロジン、木材ロジン、トール油ロジン、蒸留ロジン、水素化ロジン、二量体化ロジン、重合ロジンのような天然及び変性ロジン；
（ｂ）淡色のグリセロールエステルのような天然及び変性ロジンのグリセロール及びペンタエリトリトールエステル；木材ロジン；水素化ロジンのグリセロールエステル；重合ロジンのグリセロールエステル；水素化ロジンのペンタエリトリトールエステル；及びロジンのフェノール変性ペンタエリトリトールエステル；
（ｃ）スチレン／テルペン及びアルファメチルスチレン／テルペンのような天然テルペンのコポリマー及びターポリマー；
（ｄ）ピネンとして知られている二環式モノテルペンのようなテルペン炭化水素のフリーデル−クラフツ触媒の存在下で適度に低い温度での重合により生じるポリテルペン樹脂、並びに水素化ポリテルペン樹脂；
（ｅ）フェノール変性テルペン樹脂及びその水素化誘導体；
（ｆ）主としてオレフィン及びジオレフィンからなるモノマーの重合により生じる脂肪族石油系炭化水素樹脂、並びに水素化脂肪族石油系炭化水素樹脂；
（ｇ）環式石油系炭化水素樹脂及びその水素化誘導体；
（ｈ）アルキルフェノール樹脂；並びにそれらの組み合わせ；好ましくは
ｉｉｉ）は、（ｈ）熱可塑性アルキルフェノール樹脂から選択され；及び／又は
前記少なくとも１種の粘着付与剤は数平均分子量５０〜２０００ｇ／モルを有し、より好ましくは前記少なくとも１種の粘着付与剤は、（ｈ）軟化点１２０〜１４０℃を有するアルキルフェノール樹脂から選択される、［１］〜［６］のいずれかに記載のホットメルト組成物。
［８］ｉｖ）前記少なくとも１種の大環状分子は、シクロデキストリン、カリックスアレーン及びククルビツリル又はそれらの組み合わせから選択され、
好ましくはｉｖ）はシクロデキストリンであり、より好ましくはｉｖ）はβ−シクロデキストリンである、［１］〜［７］のいずれかに記載のホットメルト組成物。
［９］ｉ）は、前記組成物の総重量を基準として１０〜４０重量％、好ましくは１５〜３５重量％、最も好ましくは１８〜２５重量％の量で存在する、［１］〜［８］のいずれかに記載のホットメルト組成物。
［１０］ｉｉ）は、前記組成物の総重量を基準として１〜２５重量％、好ましくは５〜２０重量％、最も好ましくは７〜１５重量％の量で存在する、［１］〜［９］のいずれかに記載のホットメルト組成物。
［１１］ｉｉｉ）は、前記組成物の総重量を基準として１〜２５重量％、好ましくは５〜２０重量％、最も好ましくは７〜１５重量％の量で存在する、［１］〜［１０］のいずれかに記載のホットメルト組成物。
［１２］ｉｖ）は、前記組成物の総重量を基準として０．１〜１０重量％、好ましくは０．５〜７重量％、最も好ましくは１．５〜５重量％の量で存在する、［１］〜［１１］のいずれかに記載のホットメルト組成物。
［１３］ｖ）は、前記組成物の総重量を基準として１０〜７０重量％、好ましくは２０〜６５重量％、最も好ましくは３５〜６０重量％の量で存在し、及び／又は
ｖ）前記少なくとも１種の添加剤は、フィラー及びワックス又はそれらの組み合わせから選択される、［１］〜［１２］のいずれかに記載のホットメルト組成物。
［１４］［１］〜［１３］のいずれかに記載のホットメルト組成物を含み、好ましくはから実質的になり、より好ましくはからなる、減衰、好ましくは消音製品。
［１５］減衰、好ましくは消音、より好ましくは自動車産業での減衰又は消音の、マット、パッド、シート及びテープ、最も好ましくは自動車産業での減衰又は消音の、マット、パッド、シート及びテープにおける、［１］〜［１３］のいずれかに記載のホットメルト組成物の使用。
【手続補正４】
【補正対象書類名】明細書
【補正対象項目名】００１８
【補正方法】変更
【補正の内容】
【００１８】
本発明のホットメルト組成物は、少なくとも１種のエラストマー性スチレン系コポリマーを更に含む。
【手続補正５】
【補正対象書類名】明細書
【補正対象項目名】００２９
【補正方法】変更
【補正の内容】
【００２９】
本発明のより好ましい実施形態では、少なくとも１種の粘着付与剤は、５０〜２０００ｇ／モル、より好ましくは１００〜１０００ｇ／モル、最も好ましくは２５０〜７５０ｇ／モルの数平均分子量を有する熱可塑性アルキルフェノール樹脂から選択され、最も好ましくは熱可塑性アルキルフェノール樹脂は更に軟化点１２０〜１４０℃を有する。
【手続補正６】
【補正対象書類名】明細書
【補正対象項目名】００３２
【補正方法】変更
【補正の内容】
【００３２】
本発明の最も好適な実施形態では、前記添加剤は、エチレンビニルアセテート（ＥＶＡ）、エチレンアクリル酸（ＥＡＡ）、アルキルアクリレート、アルキルメタクリレート（ＥＭＡ）、エチレン２−エチルヘキシルアクリレート（ＥＥＨＡ）ポリマー又はそれらの組み合わせから選択される１９０℃／２．１６ｋｇでメルトインデックス６００〜５０００を有する熱可塑性化合物から選択され、好ましくは前記添加剤はエチレンビニルアセテートである。
【手続補正７】
【補正対象書類名】明細書
【補正対象項目名】００３３
【補正方法】変更
【補正の内容】
【００３３】
エチレンビニルアセテート（ＥＶＡ）、エチレンアクリル酸（ＥＡＡ）、アルキルアクリレート、アルキルメタクリレート（ＥＭＡ）、エチレン２−エチルヘキシルアクリレート（ＥＥＨＡ）は、好ましくは０．８５〜０．９９ｇ／ｃｍ３、より好ましくは０．９〜０．９７ｇ／ｃｍ３、最も好ましくは０．９５〜０．９６ｇ／ｃｍ３の（ＡＳＴＭ  Ｄ１５０５に準拠して測定された）密度を有する。
【手続補正８】
【補正対象書類名】明細書
【補正対象項目名】００３４
【補正方法】変更
【補正の内容】
【００３４】
エチレンビニルアセテート（ＥＶＡ）、エチレンアクリル酸（ＥＡＡ）、アルキルアクリレート、アルキルメタクリレート（ＥＭＡ）、エチレン２−エチルヘキシルアクリレート（ＥＥＨＡ）は、好ましくは５００〜２０，０００ｍＰａｓ、より好ましくは１，０００〜１０，０００ｍＰａｓ、最も好ましくは５，０００〜９，０００ｍＰａｓの（ＡＳＴＭ  Ｄ３２３６に準拠して測定された）（１９０℃での）溶融粘度を有する。